(57)【特許請求の範囲】
【請求項１】
着用者の周りに衣類を保持するための第一締着装置及び前記衣類のフィット性を改善する抵抗を提供するための第二締着装置を備え、
前記第一締着装置は、第一領域と、前記第一領域に向かい合う第二領域、第二領域に少なくとも部分的に位置する複数の繊維性ループを持つランディング領域及び衣類材料を提供し、前記衣類材料は、前記第一領域の少なくとも一部分を通って延びており且つ表面を持ち、前記表面の少なくとも一部は、機械的に改質されて前記衣類材料から複数の表面凸部分を一体に形成し且つ前記衣類材料に別個に接合されておらず、該ランディング領域の前記複数の繊維性ループは、前記第一領域の前記表面凸部分と係合して前記第一領域と前記第二領域を重なリ合う形体で保持するためのクロージャ機構を提供するようになっており、
前記第二締着装置は、着用者の皮膚と接触するようになっている内側表面を持つ衣類材料を提供し、前記内側表面の少なくとも一部は、機械的に改質されて複数の表面凸部分を一体に形成しており、前記表面凸部分は着用者の皮膚と係合して表面凸部分と着用者の皮膚との間の摩擦力を提供するようになっており、
個々の前記表面凸部分は、０．５〜２．５ｍｍの高さ及び０．１３〜０．９ｍｍの幅を有することを特徴とする衣類。
【請求項２】
前記衣類材料は固体高分子材料、有孔高分子材料、繊維性不織布材料及び繊維性織布材料からなる群から選択される、請求項１記載の衣類。
【請求項３】
前記表面凸部分は円形、楕円形、卵形、三角形、矩形、拡張された矩形及び多角形からなる群から選択される横断面形体を持つ、請求項１又は２に記載の衣類。
【請求項４】
前記表面凸部分は前記衣類材料の表面に、方向性を持った突起物を持ち、前記方向性を持った突起物は互いに反対方向に延びている、請求項１乃至３のいずれか一項に記載の衣類。
【請求項５】
前記衣類は使い捨て吸収性物品、使い捨ておむつ、女性用保護装置及びボディーラップからなる群から選択される、請求項１乃至４のいずれか一項に記載の衣類。
【請求項６】
前記衣類材料の表面は、さらに、前記衣類材料から一体成形され、前記衣類材料の表面から外方に延びる少なくとも一つの基部であって、前記基部から外方に延びる少なくとも二つの表面凸部分を持つ前記基部を包含する、請求項１乃至５のいずれか一項に記載の衣類。
【請求項７】
前記基部は略球状の外表面を持つ、請求項６に記載の衣類。
【請求項８】
前記第二締着装置の前記表面凸部分は、前記第一締着装置の前記表面凸部分と同じ構成である、請求項１乃至７のいずれか一項に記載の衣類。
【請求項９】
前記表面凸部分の形状は、その横断面で見た時、凸部分先端部が衣類材料表面に向けて曲げられている、請求項１乃至８のいずれか一項に記載の衣類。
【発明の詳細な説明】
【０００１】
（発明の分野）
本発明はその表面に凸部分を持つ衣類に関係する。更に詳しくは、本発明は、着用者の周囲で衣類を固定するための表面凸部分を有する使い捨ておむつ及び女性用保護装置のような吸収製品を包含する衣類及び下着類に関係する。本発明はまた、着用者の周囲にボディーラップを固定するための表面凸部分を持つボディーラップのような、着用者に取り付けられる物品にも関係する。
【０００２】
（発明の背景）
衣類材料の部分を共に結合するまたは保持するための締着装置は、ボタン、スナップファスナ、テープ状ひもファスナ、フックアンドループファスナなどを包含する多くの異なる形状で入手可能である。このような締着装置は、吸収製品、ボディーラップ、よだれかけ、ベッドシーツ、テーブルクロスなどのような使い捨て衣類、及び衣類に利用され得る。
【０００３】
使い捨ておむつ及び女性用保護装置のような吸収製品の分野では、様々な種類のファスナが一般に提供され、構造体の協同部分を所望の空間関係に保持する。例えば使い捨ておむつにおいて、締着装置が頻繁に利用される形状は、テープ状ひもの形状で別個に取り付けられる締着部材を具備する。このような締着装置はひもの一表面の領域の一部にもたらす第一接着剤を含有し、ひもが衣類の表面に安全に且つ移動しないように取り付けられることを可能にする。同一のひも表面の領域の一部は、衣類から延び第二の感圧接着剤をもたらす自由端を含有する。剥がせるリリースストリップが通常提供され、他の表面に接着されるまで感圧接着剤表面を被覆及び保護する。それが使用される時には、リリースストリップがテープ状ひもから取り外され、感圧接着剤表面が共同表面に対して配置されてその面に剥離可能に接着し、締着装置を係合する。協同表面は時々、テープ状ひもの感圧接着剤を載せる表面を受けるように及び剥離可能に保持するように、特にランディング領域を画定する材料からなる別個のストリップの形状で通常、別々に付与される接触部材を載せる。このようなテープ状ひも及びランディング領域の例は、ブエル（Buell）らに１９９２年９月２９日付与された「事前配置した弾力的可撓性ヒンジを有する動的ウエスト構造部分の吸収性物品（Absorbent Article With Dynamic Waist Feature Having A Predisposed Resilient Flexural Hinge）」という発明名称の米国特許第５，１５１，０９２号に記載されている。
【０００４】
使い捨ておむつのような使い捨て衣類を具備する衣類に利用されてきた締着装置の他の形状は、フックアンドループ型締着装置であり、その一例は商標登録名ベルクロ（VELCRO）（登録商標）である。この形状で提供される時、多数の相対的に小さく外方に延びたフック要素を持つ表面領域を包有する別個に形成されるひも部材は通常、接着剤、熱シールなどにより衣類の一部に堅固に安全に取り付けられ、フック部材を提供する。フック要素は、接着剤、熱シールなどにより衣類に安全に取り付けられ、ループ部材を提供する複数の相対的に小さく外方に延びたループ要素を載せる、第二の別個に形成される協同表面と係合するようになっている。締着装置のフック部材をループ部材に接触させると、これら二つの締着部材は共に押されてフック要素をループ要素と係合させ、及びループ要素により保持させ、それによりそれぞれのフックアンドループ部材を載せる衣類の二つの部分を共に保持する。おむつのためのこのようなフックアンドループ締着部材の一つの形状は、ブルックス（Brooks）らに１９６３年３月１９日に付与された「おむつ」という発明名称の米国特許第３，０８１，７７２号に記載されている。
【０００５】
使い捨ておむつのための締着装置の更に他の形状で、協同締着部材の各々が衣類の一部として一体形成されるものは、ランカスター（Lancaster）らに１９９３年１２月１４日に付与された、「再締着可能な機械的締着装置を有する使い捨ておむつ（Disposable Diaper With Refastenable Mechanical Fastening System）」という発明名称の米国特許第５，２６９，７７６号に開示される。この特許に開示される締着装置は、使い捨ておむつの各々前側及び後ろ側ウエスト拡張部上に空間を置いて、それぞれ別個に及び一体形成される弾力的連動把握手段及び標的手段を包有する。把握手段及び標的手段はそれぞれ、把握手段上の凸部分の形状での複数のそれぞれ外方に延びる、相互係合可能な接続具及び標的手段上の対応的に形成される凸部分容器を包含する。接続具及び貯蔵所はそれぞれが、形成されるそれぞれの表面に関して垂直に延びるように向き、押し付けられて互いに係合する関係にあり、結合する構造的要素を共に接触関係で保持するようにしている。
【０００６】
しかし上述の締着装置を有する衣類は、締着領域自体に十分な可撓性及び柔軟性を提供せず、着用者に物理的な不快症状を引き起こすことがある。更に上述のファスナは、両方のファスナ表面、すなわち把握手段及び標的手段が形成される必要があるので高価である。更に従来の締着装置は、着用者の皮膚に接触し使用中に衣類がすべる傾向を低減することを企図する一体形成された高摩擦領域では補足されない。
【０００７】
故に着用者にとって、より可撓性があり、より柔軟で、より快適である締着装置を有する衣類を提供することは望ましいことであろう。更に、衣類の第一領域から一体形成され、衣類の第二領域のループと剥離可能に係合するようになっている締着面を有する衣類を提供することは望ましいことであろう。更に、着用者の使用中に所望の実用的特性を衣類に提供するために、着用者の皮膚に関して衣類の相対的な動きに抵抗する高摩擦を有した衣類を提供することは望ましいことであろう。
【０００８】
（発明の概要）
本発明の一態様に従い、第一領域及び第一領域に向かい合う第二領域及び第一領域の衣類材料の少なくとも一部を通って延びる衣類材料を含有する衣類が提供される。この衣類材料は、その表面の少なくとも一部が機械的に改善されて衣類材料から複数の表面凸部分を一体形成し且つ衣類材料に別個に接合しない表面を有する。この衣類は更に、第二領域に少なくとも部分的に位置し、第一領域の表面凸部分と係合して、第一領域及び第二領域を重なり合う形体で保持するためのクロージャ機構を提供するようになっている複数の繊維性ループを有する、ランディング領域を含有する。
【０００９】
（発明の詳細な説明）
本発明は、使い捨て吸収製品、特に吸収性おむつ及び女性用保護装置及びボディーラップのように着用者に取り付けられる物品に関係して記載される。しかしこの発明は、圧力差の付与により柔軟化され衣類の表面から引き入れることが可能な高分子材料を使用するいずれかの種類の使い捨て衣類、及び／または下着のために企図された。更に、本発明は非使い捨て衣類及び／または下着と共に、ベッドシーツ及びテーブルクロスのような織布材料と共に、並びに部分的に再形成され本明細書に記載される一体形成の表面凸部分を提供し得る可撓性材料から作成される他の品目と共に、使用可能である。
【００１０】
本明細書に使用する「衣類」という用語は、使い捨ておむつ、トレーニングパンツ、失禁用パンツ、失禁用下着、吸収性挿入物、おむつ保持器及びライナー、女性用保護装置、包帯、ボディーラップ、よだれかけなどのような下着を含有する衣類の物品を指す。
【００１１】
本明細書に使用する「衣類材料」という用語は、単層若しくは多層構造体または衣類のシャーシの少なくとも一部分を形成する単層若しくは多層構造体の組合せを指す。衣類材料の例は、バックシートのような外部材料、トップシートのような内部材料、バックシートとトップシートの組合せなどを含有してもよい。
【００１２】
本明細書で使用する「衣類材料の表面」という用語は、衣類材料の二つの向かい合う表面のどちらかを意味するために使用される。
【００１３】
本明細書で使用する「吸収性物品」という用語は、身体排泄物を吸収し封じ込める装置を指し、具体的には、着用者の身体に対してまたは近接して配置し、身体から排出される種々の排泄物を吸収し封じ込める装置を指す。
【００１４】
本明細書において使用する用語「使い捨て」は、洗濯、或いは吸収性物品として修復または再使用することを一般に企図しない（すなわち、その物品を、１回の使用後に廃棄するか、あるいは好ましくはリサイクルするか、堆肥化するか、またはそうでなくとも他の環境に適応した方法で処分することを企図する）吸収性物品を説明するのに使用する。
【００１５】
本明細書で使用する用語「配置した」は、吸収性物品の要素が、吸収性物品の他の要素と共に一体の構造物として、または吸収性物品の他の要素へ結合される別個の要素として、特定の場所または位置に形成される（位置決めし結合される）ことを意味するのに使用する。
【００１６】
本明細書で使用する用語「接合した」は、１つの要素が、直接もう一方の要素へ固着することにより他の要素へ直接固定される構成、及び１つの要素が中間部材へ固着し、その中間部材が次いでもう一方の要素へ固着することにより他の要素に間接的に固定される構成を包含する。
【００１７】
「一体型」吸収性物品とは、別個の部品が相互に結合して形成され調和して働く統一体であり、従って別個の保持器またはライナーのような別個の操作部分を必要としない吸収性物品を指す。
【００１８】
本明細書で使用する用語「おむつ」は、一般に幼児及びその他の失禁者が胴体下部の周りに着用する吸収性物品を指す。
【００１９】
用語「女性用保護装置」は、月経及び他の膣の排出物を吸収して封じ込めるために女性が着用する吸収性物品を指す。
【００２０】
用語「ボディーラップ」は、例えば痛みの除去、傷の保護のようなある治療上の利益を一般的に供給するために、または体の近くの他の装置若しくは物品を保持するために、体の周りに着用する物品または衣類を指す。
【００２１】
本発明を記載するために選択される衣類の実例となる形状は、おむつ２０として図１、図２及び図２１に、女性用保護装置３２０として図２５及び図２６に、ボディーラップ３９１として図２７に示されている。上述のとおり、本発明は圧力差の付与により柔軟化する、及び引き入れることが可能な材料を利用する、いずれかの衣類または下着に関する。
【００２２】
図１は、おむつ２０の平面図であり、おむつの構造をより明確に示すために構造体を平たくし、一部分を切欠して示している。おむつ２０のその部分を着用者に面する側から見ている。図１に示すように、おむつ２０は、液体透過性トップシート２４、液体不透過性バックシート２６、トップシート２４の少なくとも一部とバックシート２６の間に配置されることが好ましい吸収性コア２８、サイドパネル３０、弾性レッグカフ３２、弾性的ウエスト構造部分３４及び締着装置と通常呼ばれる３６を包含することが好ましい。図１に示すおむつ２０は、第一ウエスト領域４６、第一ウエスト領域４６に対向する第二ウエスト領域４４と、第一ウエスト領域と第二ウエスト領域の間に位置する股部領域４８とを有する。おむつ２０の周辺は、おむつ２０の外縁部により画定され、長手方向側面縁部５０が、おむつ２０の長手方向中心線１００にほぼ平行に走り、及び端部縁部５２が長手方向側面縁部５０の間をおむつ２０の横中心線１１０にほぼ平行に走る。
【００２３】
おむつ２０のシャーシ２２はおむつの本体を形成する。シャーシ２２は、吸収性コア２８の少なくとも一部分、好ましくは、トップシート２４とバックシート２６を含有する外部被覆層を包含する。シャーシ２２は内側の身体面表面４０及び外側の衣類に面する面４２を持つ。吸収性物品が別個の保持器及びライナーを具備する場合、シャーシ２２は通常保持器及びライナーを含有する。例えば、保持器は材料の一つ以上の層を含有可能で、物品の外側の被覆を形成し、及びライナーはトップシート、バックシート及び吸収性コアを持つ吸収性集合体を含有可能である。そのような場合、保持器及び／またはライナーは、使用時全体を通して適所にライナーを保持するために使用される締結要素を含有可能である。
【００２４】
一体式吸収性物品の場合、シャーシ２２は、複合おむつ構造体を形成するために付加される他の構造部分と共におむつの主要構造体を包含する。トップシート２４、バックシート２６及び吸収性コア２８は、様々な周知の構成に組み立てることができるが、好ましいおむつの構成がほぼ記載された特許としては、１９７５年１月１４日にケネス・B・ブエル（Kenneth B.Buell）に付与された「使い捨ておむつの収縮可能な側部分（Contractible Side Portions for Disposable Diaper）」という発明名称の米国特許第３，８６０，００３号、１９９２年９月９日にブエルに付与された米国特許第５，１５１，０９２号、１９９３年６月２２日にブエルに付与された米国特許第５，２２１，２７４号、１９９６年９月１０日にロー（Roe）らに付与された「複数ゾーン構造の弾性様フイルムウエブの拡張性ウエスト機構を有する吸収性物品（Absorbent Article With Multiple Zone Structural Elastic-Like Film Web Extensible Waist Feature）」という発明名称の米国特許第５，５５４，１４５号、１９９６年１０月２９日にブエルらに付与された「使い捨てプルオンパンツ（Disposable Pull-On Pant）」という発明名称の米国特許第５，５６９，２３４号、１９９６年１２月３日にニース（Nease）らへ発行された「吸収性物品用サイドパネルを製造するゼロスクラップ方法（Zero Scrap Method For Manufacturing Side Panels For Absorbent Articles）」という発明の名称の米国特許第５，５８０，４１１号及びローブル（Robles）らの名で１９９７年８月２０日に付与された「多方向拡張性サイドパネルを有する吸収性物品（Absorbent Article With Multi-Directional Extensible Side Panels）」という発明名称の米国特許出願番号０８／９１５，４７１とがあり、完全に再記述したかの如くそれぞれの開示を参考として引用し本明細書に組み入れる。
【００２５】
バックシート２６は通常、吸収性コア２８の衣類に面する面の近くに配置されるおむつ２０の部分である。バックシート２６は、吸収され、その中に封じ込められた排出物が、ベッドシーツ及び下着のような、おむつ２０に接触可能な物品を汚すことを阻止する。好ましい実施形態では、バックシート２６は、流体（例：尿）不透過性であり、厚さ約０．０１２ｍｍ（０．５ミル）〜約０．０５１ｍｍ（２．０ミル）の熱可塑性フィルムなどの薄いプラスチックフィルムを含有する。好適なバックシートフィルムとしては、インディアナ州、テレホート（Terre Haute,IN）のトレドガーインダストリー社（Tredegar Industries Inc.）により製造され、Ｘ１５３０６、Ｘ１０９６２及びＸ１０９６４の商品名で販売されるものが挙げられる。その他の好適なバックシート材料には、排出物がバックシート２６を通るのを阻止するが、湿気はおむつ２０から逃げることができる通気性材料を包含することができる。代表的な通気性材料としては、織物ウェブ、不織布ウェブ、フィルム被覆不織布ウェブのような複合材料、及びＥＳＰＯＩＲ  ＮＯの名称で日本の三井東圧株式会社により、及びＥＸＸＡＩＲＥの名称でテキサス州ベイシティ（Bay City、TX）にあるエクソンケミカル社（EXXON Chemical Co.）により、製造されるような微小多孔性フィルムを含有可能である。ポリマーブレンドを包含する適切な通気性複合材料は、ＨＹＴＲＥＬブレンドＰ１８−３０９７の名称でオハイオ州シンシナティ（Cincinnati, OH）にあるクロパイコーポレーション（Clopay Corporation）社から入手可能である。このような通気性複合材料は、Ｅ．Ｉ．デュポン（DuPont）の名前で１９９５年６月２２日に公告されたＰＣＴ出願番号第ＷＯ９５／１６７４６号に、及び１９９９年２月２日にクロ（Curro）に付与された米国特許第５，８６５，８２３号に、詳細に記載される。不織布ウェブ及び孔あき成形フィルムを包含する他の通気性バックシートは、１９９６年１１月５日にドブリン（Dobrin）らに付与された米国特許第５，５７１，０９６号に記載されている。これらの特許のそれぞれの開示は、完全に再記述したかの如く同程度に参考として引用し本明細書に組み込む。
【００２６】
バックシート２６またはそのいずれかの部分は、１つ以上の方向に弾性的に拡張可能である。一実施形態においてバックシート２６は、構造的に弾性様フィルム（「ＳＥＬＦ」）ウェブを含有することができる。本発明に好適なＳＥＬＦウェブは、「弾性様挙動を示すウェブ材料（Web Materials Exhibiting Elastic-Like Behavior）」と題する１９９６年５月２１日にチャペル（Chappell）らに付与された米国特許第５，５１８，８０１号に更に完全に記載され、完全に再記述したかの如く同程度に本明細書に参考として引用し組み入れる。代替実施態様において、バックシート２６は、弾性フィルム、発泡体、ストランド、またはこれら若しくは他の適切な材料と、不織布若しくは合成フィルムとの組合せを含有することができる。
【００２７】
トップシート２４は好ましくは吸収性コア２８の身体面表面近くに配置される。トップシート２４は、順応性があり、柔らかな感触であり、着用者の皮膚を刺激しないことが好ましい。更にトップシート２４の少なくとも一部分は、液体透過性であり、流体はその厚さを容易に通ることができる。好適なトップシート２４は、広範囲の材料により製造することができ、例えば、多孔質発泡体、網状発泡体、孔あきプラスチックフィルム、または天然繊維（例：木材繊維若しくは綿繊維）、合成繊維（例：ポリエステル繊維若しくはポリプロピレン繊維）若しくは天然繊維と合成繊維の組合せ、による織布ウェブ若しくは不織布ウェブなどである。吸収性集成物が繊維を含む場合、その繊維は、スパンボンド、毛羽立てる、湿式、メルトブローン、水流絡合、または当業界で既知の他の方法で製造されたものであってもよい。１つの好適なトップシート２４は、短繊維長ポリプロピレン繊維のウェブの形状であり、マサチューセッツ州ウォルポール（Walpole、Massachusetts）のインターナショナルペーパー社（International Paper Company）の一部門であるベラテック社（Veratec,Inc.）によりＰ−８の名称で製造されている。
【００２８】
好適な成形フィルムトップシートは、１９７５年１２月３０日にトンプソン（Thompson）に付与された「先細毛管を有する吸収性構造体（Absorptive Structures Having Tapered Capillaries）」という発明名称の米国特第３，９２９，１３５号、１９８２年４月１３日にムラン（Mullane）らに付与された「ひずみ防止性トップシートを有する使い捨て吸収性物品（Disposable Absorbent Article Having A Stain Resistant Topsheet）」という発明名称の米国特許第４，３２４，２４６号、１９８２年８月３日にラデル（Radel）らに付与された「繊維様特性を示す弾力性プラスチックウエブ（Resilient Plastic Web Exhibiting Fiber-Like Properties）」という発明名称の米国特許第４，３４２，３１４号、１９８４年７月３１日にアール（Ahr）らに付与された「艶消し外観表面と布様感触を示す巨視的に伸張された三次元プラスチックウエブ（Macroscopically Expanded Three-Dimensional Plastic Web Exhibiting Non-Glossy Visible Surface and Cloth-Like Tactile Impression）」という発明名称の米国特許第４，４６３，０４５号、及び１９９１年４月９日にベアード（Baird）に付与された「多層ポリマーフィルム（Multilayer Polymeric Film）」という発明名称の米国特許第５，００６，３９４号、に記載されている。その他の好適なトップシート３０は、１９８６年９月２日と１９８６年１２月１６日にキュロ（Curro）らにそれぞれ付与された米国特許第４，６０９，５１８号及び第４，６２９，６４３号とにより作成されてもよく、これら二つの特許は参考として本明細書に組み入れる。このように形成されたフィルムは、オハイオ州シンシナティ（Cincinnati、Ohio）のプロクターアンドギャンブル社（The Procter & Gamble Company）から「ＤＲＩ−ＷＥＡＶＥ」として入手でき、インディアナ州テレホート（Terre Haute、Indiana）
のトレドガーコーポレーション社（Tredegar Corporation）から「ＣＬＩＦＦ−Ｔ」として入手できる。
【００２９】
吸収性コア２８は通常圧縮性で、体型に合いやすく、着用者の皮膚に対して非刺激性であって、且つ尿及び他のある種の身体排泄物などの流体を吸収して保持できるものであれば、いずれの吸収性材料でも具備することができる。吸収性コア２８は長手方向の側面縁部６０及び末端部縁部２９を持ち、多種多様の寸法及び形状（例：長方形、時計形、Ｔ字形、非対称など）に製造可能で、一般的にエアフェルトと呼ばれる使い捨て紙おむつ及び粉砕木材パルプのような他の吸収製品において通常使用される多種多様の流体吸収性素材を包含することができる。他の好適な吸収性素材の例としては、縮みセルロース詰め物、コフォーム（coform）を含むメルトブローポリマー、化学的に剛化、改質、もしくは架橋されたセルロースファイバー、ティッシュラップとティッシュラミネートを含むティッシュ、ＨＩＤＥフォームを含有する吸収性フォーム、吸収性スポンジ、超吸収性ポリマー、吸収性ゲル材料、または他のいずれかの既知の吸収性材料、またはそれらの材料の組合せが挙げられる。
【００３０】
吸収性コア２８の形体及び構造は変化させてもよい。吸収性コア２８として使用される典型的吸収構造体は、「高密度吸収構造体（High-Density Absorbent Structures）」という発明名称で１９８６年９月９日にウェイスマン（Weisman）らに付与された米国特許第４，６１０，６７８号、「二重層のコアを持つ吸収製品（Absorbent Articles With Dual-Layered Cores）」という発明名称で１９８７年６月１６日にウェイスマン（Weisman）らに付与された米国特許第４，６７３，４０２号、「より低密度及びより低坪量獲得領域を持つ高密度吸収部材（High Density Absorbent Members Having Lower Density and Lower Basis Weight Acquisition Zones）」という発明名称で１９８９年５月３０日にアレマニー（Alemany）らに付与された米国特許第４，８３４，７３５号、「ダスティング層を持つ吸収性コア（Absorbent Core Having A Dusting Layer）」という発明名称で１９８９年１２月１９日にアングスタット（Angstadt）に付与された米国特許第４，８８８，２３１号、「個別化したポリカルボン酸架橋木材パルプセルロース繊維を包含する吸収構造体（Absorbent Structure Containing Individualized, Polycarboxylic Acid Crosslinked Wood Pulp Cellulose Fibers）」という発明名称で１９９２年８月１１日にヘロン（Herron）らに付与された米国特許第５，１３７，５３７号、「失禁管理用高効率吸収製品（High Efficiency Absorbent Articles For Incontinence Management）」という発明名称で１９９２年９月１５日にヤング（Young）らに付与された米国特許第５，１４７，３４５号、「低粘度率糞便素材用使い捨て吸収製品（Disposable Absorbent Article For Low-Viscosity Fecal Material）」という発明名称で１９９４年８月３０日にロエ（Roe）に付与された米国特許第５，３４２，３３８号、「水性の体液類のための吸収性発泡体材料及びそのような材料を包含する吸収製品（Absorbent Foam Materials For Aqueous Body Fluids and Absorbent Articles Containing Such Materials）」という発明名称で１９９３年１１月９日にデスマライス（DesMarais）らに付与された米国特許第５，２６０，３４５号、「水性の体液類のための、湿るまでは薄い吸収性発泡体材料及びその作成方法（Thin-Until-Wet Absorbent Foam Materials For Aqueous Body Fluids And Process For Making Same）」という発明名称で１９９５年２月７日にダイヤ（Dyer）らに付与された米国特許第５，３８７，２０７号、及び「非常に高い油対水の比率を持つ高内相エマルションから作成される水性流体類のための吸収性発泡体材料（Absorbent Foam Materials For Aqueous Fluids Made From High Internal Phase Emulsions Having Very High Water-To-Oil Ratios）」という発明名称で１９９７年７月２２日にデスマライス（DesMarais）らに付与された米国特許第５，６２５，２２２号、に記載されている。これら特許のそれぞれは参考として引用し本明細書に組み入れる。
【００３１】
おむつ２０は、改良された適合及び封じ込めの提供を補助する少なくとも一つの弾性的ウエスト構造部３４も包含することができる。弾性的ウエスト構造部３４は通常、弾力的に拡張及び収縮して着用者のウエストに動的に合うことを企図している。更におむつ２０はサイドパネル３０を含有することができる。伸縮自在のサイドパネルを有するおむつの例は、１９８９年８月１５日にウッド（Wood）らに付与された「シャーリングを付けた耳パネルを有する使い捨ておむつ（Disposable Diaper Having Shirred Ears）」という発明名称の米国特許第４，８５７，０６７号、１９８３年５月３日にシアラファ（Sciaraffa）らに付与された米国特許第４，３８１，７８１号、１９９０年７月３日にバンゴンペル（Van Gompel）らに付与された米国特許第４，９３８，７５３号、本明細書の前述で引用した１９９２年９月９日にブエル（Buell）に付与された米国特許第５，１５１，０９２号、１９９３年６月２２日にブエル（Buell）らに付与された米国特許第５，２２１，２７４号、１９９７年９月２３日にラボン（LaVon）らに付与された「動的な合わせ具合を維持する吸収性物品（Absorbent Articles Providing Sustained Dynamic Fit）」という発明名称の米国特許第５，６６９，８９７号、及び１９９９年１２月２１日にローブル（Robles）らに付与された「多方向拡張性のサイドパネルを有する吸収性物品（Absorbent Article With Multi-Directional Extensible Side Panels）」という発明名称の米国特許第６，００４，３０６号に開示される。上記特許のそれぞれの開示は、完全に再記述したかの如く同程度に参考として引用し本明細書に取り入れる。
【００３２】
おむつ２０は更に、流体類及び他の身体排出物の封じ込めを改良したレッグカフ３２を包含してもよい。レッグカフ３２は、レッグバンド、レッグフラップ、バリアカフ、または伸縮性カフ、と呼ばれてもよい。米国特許３，８６０，００３号は、伸縮性レッグカフ（ガスケッティングカフ）を提供するために、サイドフラップ及び一つ以上の伸縮性部材を有する収縮性脚開口部を備えた使い捨ておむつについて記述している。１９８９年２月２８日及び１９９０年３月２０日にそれぞれアジズ（Aziz）らに付与された米国特許第４，８０８，１７８号及び第４，９０９，８０３号には、脚部領域の封じ込め性を改良する「立ち上がった」伸縮自在のフラップ（バリアカフ）を有する使い捨ておむつが記載されている。１９８７年９月２２日にローソン（Lawson）に付与された米国特許第４，６９５，２７８号、及び１９８９年１月３日にドラグー（Dragoo）に付与された米国特許第４，７９５，４５４号には、ガスケットカフスとバリアカフを含む二重カフスを有する使い捨ておむつが記載されている。幾つかの実施例では、上述のように、ローションでレッグカフ３２の全てまたは一部分を処理するのが望ましいことがある。
【００３３】
おむつ２０は締着装置３６を包含してもよい。締着装置３６は、おむつ２０を着用者に固定するために、おむつ２０の周辺付近で横に張力を与えるような形体で、第一ウエスト領域４６及び第二ウエスト領域４４を維持することが好ましい。締着装置３６は、テープ状ひも及び／またはフックアンドループ締着構成成分を包含してもよいが、他の既知のいかなる締着手段も通常受け入れ可能である。代表的な締着装置が開示される特許には、１９７４年１１月１９日にブエル（Buell）に付与された「使い捨ておむつ用テープ締着装置（Tape Fastening System for Disposable Diaper）」という発明名称の米国特許第３，８４８，５９４号、１９８７年５月５日にヒロツ（Hirotsu）らに付与された「吸収性物品（Absorbent Article）」という発明名称の米国特許第Ｂ１４，６６２，８７５号、１９８９年７月１１日にスクリップス（Scripps）に付与された「改良された締着装置を備える使い捨ておむつ（Disposable Diaper Having An Improved Fastening Device）」という発明名称の米国特許第４，８４６，８１５号、１９９０年１月１６日にネストガード（Nestegard）に付与された「改良されたフックファスナ部分を有する使い捨ておむつ（Disposable Diaper With Improved Hook Fastener Portion）」という発明名称の米国特許第４，８９４，０６０号、１９９０年８月７日にバットレル（Battrell）に付与された「感圧接着剤ファスナ及びその製造方法（Pressure-Sensitive Adhesive Fastener And Method of Making Same）」という発明名称の米国特許第４，９４６，５２７号、本明細書において上述引用した１９９２年９月９日にブエル（Buell）に付与された米国特許第５，１５１，０９２号及び１９９３年６月２２日にブエル（Buell）に付与された米国特許第５，２２１，２７４号がある。他の代表的な締着装置は、１９９８年８月２８日にクリン（Kline）らの名前で出願された「吸収製品締着装置（Absorbent Article Fastening Device）」という
発明名称の同時係属の米国特許出願第０９／１４３，１８４号に開示されている。締着装置は、１９９０年１０月１６日にロバートソン（Robertson）らに付与された米国特許第４，９６３，１４０号に開示されるように、使い捨ての形で衣類を保持するための手段を提供してもよい。締着装置は、重なり合う部分のずれを低減するとして米国特許第４，６９９，６２２号に開示されているように、または合わせ具合を改良するとして米国特許第５，２４２，４３６号、第５，４９９，９７８号、第５，５０７，７３６号、第５，５９１，１５２号に開示されているように、第一及び第二締着装置も包含してもよい。これら特許のそれぞれは参考として引用し本明細書に組み入れる。代わりの実施態様として、衣料の両側を継ぎあわせるかまたは溶着してパンツを形成してもよい。これにより衣類はプルオンおむつまたはトレーニングパンツとして使用されることができる。
【００３４】
上述で検討したように、本発明を説明するために選択される衣類の他の形状は、衛生ナプキン３２０（図２５から図２６参照）及びボディーラップ３９１（図２７参照）を含有する。典型的な衛生ナプキンは、１９８６年５月にバン・ティルバーグ（Van Tilburg）に付与された米国特許第４，５８９，８７６号、１９８７年８月１８日にバン・ティルバーグ（Van Tilburg）に付与された第４，６８７，４７８号、及び１９９１年４月１５日にオズボーン（Osborn）に付与された第５，００９，６５３号に記載されている。女性の局部用保護装置の例は、１９９８年６月９日にオズボーン（Osborn）らに付与された米国特許第５，７６２，６４４号に開示されている。好ましいボディーラップは１９９９年１月１９日にクレーマー（Cramer）らに付与された米国特許第５，８６０，９４５号、１９９９年１月５日にデービス（Davis）らに付与された第Ｄ４０３，７７８号、１９９８年４月２１日にオーレット（Oullette）らに付与された第５，７４１，３１８号、に開示されている。これら特許のそれぞれは参考として引用し本明細書に組み入れる。
【００３５】
おむつ２０、衛生ナプキン３２０及びボディーラップ３９１は、衣類材料を作成する材料の少なくとも一つから、単体としてあるいは集合体として形成可能な本発明の表面凸部分１０２を含有してもよい。あるいは、表面凸部分１０２は別個の材料から一体形成し、その後いずれかの従来手段により衣類の少なくとも一部に取り付けて本明細書に記載する機能のいずれかを提供してもよい。すでに検討したように、衣類材料は固体フィルム、微小多孔性フィルム、不織布材料、織布材料、発泡体、スクリム、または約１５０℃未満の軟化点を持つこれらいずれかの組合せを含有するいかなる好適な材料であってもよい。
【００３６】
表面凸部分１０２は、第一横断面形体、第二横断面形体、高さ、幅、長さ、角を形成する勾配、及びフック末端部形体を持つことができる。表面形体１０２の第一横断面形体の様々な実施態様の非限定的な幾つかの例は、図６から図１２までに図解されている。表面凸部分１０２の第一横断面体は、衣類材料９０の表面８５に通常垂直であり、個々の表面凸部分１０２Ａを２等分する断面で且つ表面８５上の個々の表面凸部分１０２Ａの投影像に画定される方向に平行に伸びる断面図である。
【００３７】
表面凸部分１０２の第二横断面形体は、衣類材料９０の表面８５に通常は平行な断面図である。第二横断面形体は、例えば円形、楕円形、卵形、三角形、四角形、長方形、伸長した長方形及び多角形などのいかなる形体でも可能である。更に、第二横断面形体は実質的に、個々の表面凸部分１０２Ａの高さＨを通じて均一なサイズのものであることもでき、あるいは衣類材料の表面でさらに大きくなることで実質的に先細になることもできる。
【００３８】
表面凸部分１０２の高さＨは、衣類材料９０の表面８５と表面８５の上で延びる個々の表面凸部分１０２Ａの最高点との間で通常は垂直に取られる距離である。好ましい実施態様では、表面凸部分１０２の高さＨは約０．５ｍｍ（０．０２インチ）〜約２．５ｍｍ（０．１０インチ）以上までの範囲であってもよい。
【００３９】
表面凸部分１０２の幅Ｗは、個々の表面凸部分１０２Ａの基部において、個々の表面凸部分１０２Ａの衣類材料９０の表面８５への投影像から画定される方向で計測される。好ましい実施態様では、表面凸部分１０２の幅Ｗは約０．１３ｍｍ（０．００５インチ）〜約０．９０ｍｍ（０．０３５インチ）以上までの範囲であることができる。
【００４０】
表面凸部分１０２（図１３から図１５に最良に示す）の長さＬは、個々の表面凸部分１０２Ａが個々の表面凸部分１０２Ａの角の傾きの方向と交差する方向に伸びる距離である。好ましい実施態様では、長さＬは約０．１３ｍｍ（０．００５インチ）〜約３００ｍｍ（１２インチ）以上まで変化し得る。
【００４１】
図６に示すように、衣類材料９０の表面８５に関する表面凸部分１０２の角の傾き１４０は、約１５°〜約９０°までの角度の範囲であり得る。表面凸部分１０２の角の傾きは、単一方向及び／または多方向であってもよい。角の傾きが均一になるのは、一般的に衣類材料９０の表面８５上に突起する個々の表面凸部分１０２Ａの方向の成分が、図６から図１２に示すように互いに平行である時である。角の傾きが多方向となるのは、例えば図１６から図１７に示すように、一般的にこれらの方向成分が互いに平行でない時である。表面凸部分１０２のフック末端部１３０は、図６から図１２の非限定的な例により図解されるような様々な形体を持ってもよい。
【００４２】
他の実施態様では、表面凸部分１０２は複数の領域９４ａ及び９４ｂを形成可能で、各領域は図１６から図１７に示すような基部１０３から延びる一つ以上の個々の表面凸部分１０２Ａを含有してもよい。図１６に示す９４ａの実施態様では、各基部１０３は二つの表面凸部分１０２を含有する。基部１０３はまた表面８５から外方に延びてもよい。図１６から図１７の実施態様において、表面凸部分１０２の高さ、幅、横断面形体、フック末端部形体及び角の傾きは、図６から図１２の実施態様の表面凸部分１０２の、高さ、横断面形体、フック末端部形体、及び角を形成する勾配、の全てのまたはいずれかの態様において類似してもよい。
【００４３】
図１６に示す実施態様では、それぞれ傾斜する表面凸部分１０２Ａは、向かい合う第二表面凸部分の突起が拡張する方向と実質的に１８０°をなす方向で基部１０３から拡張する衣類材料９０の表面８５上へ突き出す方向の構成成分を持つ。実質的に１８０°離れているように示されるが、それら各々の分離角度は１８０°未満であるように表面凸部分１０２を合わせてよい。そのように合わせる時、表面凸部分１０２の分離角度は、約３０°〜約１８０°まで、より好ましくは約９０°〜約１８０°までであってもよい。
【００４４】
図１７に示す実施態様では、基部１０３の各々は異なる方向に拡張する３つの個々の表面凸部分１０２Ａを含有する。好ましくは傾斜する表面凸部分の各々は、近くの表面凸部分の突起が拡張する方向と実質的に１２０°をなす方向に基部１０３から拡張する衣類材料９０の表面８５の上へと突き出す方向の構成成分を持つ。実質的に１２０°離れていると示されるが、所望するならば、表面凸部分１０２はそれらの角度の空隙部が１２０°と異なる向きになり得る。
【００４５】
衣類材料９０は機械的に改質され、例えば、図１８に示すように成形型２０８に衣類材料９０の表面８５を配置することにより、衣類材料９０から表面凸部分１０２を一体形成してもよい。本明細書に使用される「機械的に改質され」と言う用語は、化学的変化に対して、例えば材料を柔化させる、材料を融解する、付与した圧力差で材料を引き入れる、材料を冷却するなどのように、材料への物理的な変化を含有する方法を指す。成形型２０８は、実質的に丸い穿孔及び／または伸長したスロットの形状の複数の開口部２０７を有してもよい。例えば図１８に示すような成形型２０８は、型面２１０に穿孔２１２の形状での複数の開口部２０７を持つ。例えば穿孔２１２は、長さ約２．５４ｍｍ（０．１インチ）、直径約０．６３ｍｍ、及び中心から中心までの空隙部約１．２７ｍｍ（０．０５０インチ）を有することができる。しかし穿孔２１２の寸法は変更して表面凸部分の特定の要件に合うように変えることが出来る。スロットも、図１３〜図１５及び上述したように、個々の表面凸部分１０２Ａのいずれの所望の長さＬを提供するのに好適ないかなる長さでもあり得る。穿孔及び／またはスロットは、型の表面に対して約１５°〜約９０°までの範囲の角度２３２（図２３に最良に示す）で配置されるそれらの軸２３１（図２３に最良に示す）を有することができる。
【００４６】
型２０８の型面２１０は、図１８に示すように必要な表面凸領域２１１に適合するいかなる寸法でもあり得る。表面凸領域２１１は、表面凸部分を有する衣類の特定の意匠要件に合ういかなる寸法でもあり得る。図１８に示される表面凸領域２１１は、例えば長さ約２４．１３ｍｍ（０．９５０インチ）及び幅約１１．４３ｍｍ（０．４５０インチ）である。これらの寸法並びに表面凸部分の配列の幾何学的形状は、高く評価されるであろうが、表面凸部分の特定の要件に合うように変えるることができる。
【００４７】
開口部２０７は、型表面と型の後部表面の間の連通を提供して各開口部の内側に圧力差をつくり出し、その結果柔化した衣類材料は開口部まで引き入れられて表面凸部分１０２を形成し得るため、開口部２０７の内部から型後部表面２２７（図２３に最良に示す）まで延びる狭い通路を含有し、好ましくは丸い最内部末端部を有する。開口部２０７は通常、表面凸部分１０２の所望の形状及び配向に対応する形態及び配向を持つ。開口部２０７は放電機械加工、レーザー機械加工、光エッチング、ドリリング、フライス削り（ミリング）などにより、型に形成されてもよい。
【００４８】
使用時に成形型２０８は、表面凸部分１０２が一体的またはモノリシックに形成されることが所望され、開口部２０７の向かい合う末端部の間に圧力差がつくられる衣類材料９０の衣類表面８５に対して配置される。故に、より低い圧力が、衣類表面８５から空間を置いて配置される開口部の末端部につくられる。圧力差はいずれの従来の手段によりつくられ得ることに注意する必要がある。しかし本発明の好ましい実施態様では、圧力差は衣類表面から空間を置く開口部の末端部に真空を付与することによりつくられてもよい。真空の水準は、水約０．１インチ〜水約２５インチまでの範囲であってよい。衣類材料９０はその後、外部熱を付与するか、または超音波振動、マイクロ波、無線波、赤外線波、レーザー光線、電気光線、誘導加熱などの付与により衣類材料内に熱を発生させるか、により衣類材料９０を加熱することで柔化される。いずれにしても衣類材料９０は柔化し、柔化した衣類材料の一部は、開口部２０７の外側末端部に賦課された真空に起因する開口部２０７内の低減した圧力により開口部２０７に引き入れられる。引き入れられる衣類材料９０の量及び表面凸部分１０２の形状は、開口部２０７の間につくられる圧力差の水準を変えることにより必要に応じて変化させることができる。柔化した衣類材料９０が開口部２０７に引き入れられた後、熱源は退き、衣類材料９０は少なくとも部分的に冷却することが可能になる。その後成形型２０８は衣類表面８５から離れ、衣類材料９０及び結果として生じる表面凸部分は冷えて所望の表面凸部分１０２を提供する。表面凸部分の形成後、表面凸部分は成形型から容易にはずされ、衣類材料は成形型のいずれの部分にも付着しないことに注目すべきである。
【００４９】
成形型の他の形体、図１６から図１７に図解する表面凸部分１０２を形成するために使用し得るものが、図１９から図２３に示されている。成形型２２０は、凹部２２６が形成されて内部型表面２２７を画定する上部表面２２２及び下部表面２２４を包含する。図２２から図２３に最良に示すような、略球状の湾曲であり得る一連の空間を置いた好ましくは浅い凹部２２８は、成形型２２０の上部表面２２２に形成され、３つの等しい角度で空間を置く開口部２３０が提供されて、凹部２２８の表面から成形型２２０の低部表面２２４上の凹部２２６の表面まで拡張する。しかし凹部２２８は、表面凸部分１０２の基部１０３を形成するために、いずれかの好適な形状を持って好適な凹部を提供し得ることに注目すべきである。
【００５０】
図２２から図２３に関し、開口部２３０の軸２３１は成形型２２０の上部面２２２に対して約６０°の角度２３２で傾斜し、互いに約１２０°の角度２３４で配置される。開口部２３０の各々は先細形で、内部型表面２２７よりも大きい領域を凹部２２８に有する。内部型表面２２７は好ましくは約０．１ｍｍ（０．００４インチ）〜約１．５ｍｍ（０．０６０インチ）までの範囲の相対的に小さい開口部を持ち、開口部２３０と真空源の間の連通を可能にし、柔化した基質材料が開口部２３０及び凹所２２８へ引き入れられて表面凸部分１０２を形成する。
【００５１】
本明細書に説明する表面凸部分の機械的構成は、静止または動いた状態で成形型により行われ得る。例えば、本明細書では平たい表面成形型として示し記載するが、成形型は曲線の外側表面を備えることも可能で、回転するキャリアに載せて運ばれることを可能にし、その結果表面凸部分形成方法は、成形型と裏部材の間の振動、前後の動きのみを利用することによるよりも、より高速で表面凸部分を形成するために回転する成形型に影響され得ることは明らかであろう。
【００５２】
特定の実施態様にかかわらず、表面凸部分の形体は数個の要因に依存し得ることに注意する必要がある。例えば表面凸部分の幅に対する表面凸部分の高さの割合、成形型の開口部の深さ、衣類材料の柔化の水準、柔化した衣類材料を引き入れるために付与する真空の水準及び冷却状態のパラメーターは全て、表面凸部分の最終形状に影響を及ぼし得る。
【００５３】
表面凸部分１０２は、図１に示すようにいずれかの数の表面凸部分を具備できる表面凸領域１５０に配置され得る。用語「表面凸領域」は本明細書では、その領域全体に配置される表面凸部分の配列を取り囲む衣類の局所的な領域を指す。表面凸領域はいずれの寸法、形状、及び密度であってもよい。本発明の表面凸領域１５０は、美的に楽しませる形状を含有する様々な寸法及び形状を持つことができ、その非限定的な例が図３Ａから図３Ｍまでに示される。表面凸領域１５０は、縞、円形、四角形、多角形、点の連続、若しくは他の規則的な形状、または螺旋若しくは不ぞろいの模様を含有するが、これらに限定されない不ぞろいの若しくは不規則な模様のような不規則な渦若しくは縞を含有するいずれかの模様を形成してもよい。更に、表面凸領域１５０は様々な密度を持ち得る。本明細書では、「密度」は、表面凸領域の単位領域（インチまたはｍｍ）当たりの表面凸部分の数を意味する。表面凸領域の密度は通常、フックアンドループ型締結具の可撓性及び柔軟性に影響を及ぼす。例えばより低い密度領域は通常、材料のより高い可撓性及び柔軟性を提供する。しかし係合するフックアンドループの間に一定の保持力を提供するために、係合のための一定数のフックが入手可能でなければならない。故に従来のテープ載せフックファスナにより提供される領域より広い材料領域にフックを分配することが望ましい。しかし従来のフックアンドループ型締結具により提供される領域を拡大することは、これらのファスナの費用を増すことになる可能性がある。従って締結装置の全体または一部として本発明の表面凸部分を使用して経費を低減し、衣類の可撓性及び柔軟性を増すことは有利であるだろう。
【００５４】
図１に示すようにおむつ２０の、ある実施態様では、締着装置３６の少なくとも一部は表面凸部分１０２を具備してもよい。例えば表面凸部分１０２は、第一級締着装置若しくはその構成成分として、第二級締着装置若しくはその構成成分として、または補足的ファスナとして、働いてもよい。しかし表面凸部分１０２は上記の締着装置３６のいずれかの上で個々に、または組み合わせて使用してもよいことに注意する必要がある。第一級締着装置は通常、衣類の第一部分及び第二部分の間の主要な結合を供給して着用者の周りの衣類を保持する。第一級締着装置の例は、上記で参照した米国特許第４，６９９，６２２号及び第４，８９４，０６０号においてより詳細に開示されている。また第一級締着装置は、処理のために閉じて包んだ形体で吸収性物品を維持することを補助するために使用し、使用した物品の処理をより便利にする。
【００５５】
第二級締着装置は通常、いかなる衣類の重なり合う部分または構成成分もずれないようにして、フィット性を改善する。第二級締着装置の例は上述で参照した米国特許第４，６９９，６２２号においてより詳細に開示されている。
【００５６】
補足的締着装置は通常、第一級締着装置及び／または第二級締着装置の分離に対する抵抗性を増す。例えば補足的締着装置は、はがれモードでの離脱及び／またはせん断モードでの分離への抵抗性を改善して、本明細書に記載するような第一級及び／または第二級締着装置の締着強度を補足することができる。各々の表面で結合される衣類の二つの部分の離脱はがれモードは、例えば衣類の二つの部分が、その結合面に通常垂直である力の構成成分を有する反対方向の各々の力により引っ張られて離される時、存在してもよい。対照的にせん断モードの離脱は、衣類構成成分の二つの部分が、その結合面に通常平行である力の構成成分を有する反対方向の各々の力により引っ張られて離される時に存在する。
【００５７】
表面凸部分１０２は、例えばおむつ、ボディーラップ及び衛生ナプキンのような衣類に第一級締着機能を提供してもよい。図２４は表面凸部分１０２を包含する第一級締着装置３９２を有するおむつ４２０を示す。図２７は、表面凸部分１０２を包含する第一級締着装置３９２を有するボディーラップ３９１の例を示す。図２５から図２６は、第一級締着機能を提供する表面凸部分１０２を有する衛生ナプキン３２０の例を示す。衛生ナプキンの実施態様では、表面凸部分１０２はバックシート３２４、フラップ３２５またはそれらの両方に配置してもよい。図２２から図２３に示す実施態様３２０では、表面凸部分１０２は衛生ナプキン３２０のフラップ３２５を着用者の下着に接合したり、または互いに接合する。しかし衛生ナプキンは、本発明に従って機能するためのフラップを持つ必要はないことに注意すべきである。例えば表面凸部分１０２は、衛生ナプキン３２０の本体３２６を着用者の下着３３０に直接結合してもよい。
【００５８】
第一級締着装置が機能して吸収性物品を処理のための包んだ形体で維持する実施態様では、表面凸部分１０２は衣類（例：図２４に示すおむつ２０）の身体面表面に配置してもよい。他の実施態様では、表面凸部分１０２もまた、或いは代替的に、衣類を処理の形体で維持する位置で衣類の外側表面に配置してもよい。更に、表面凸部分１０２は、接着部分の代わりに、衣類に取り付けられる締着テープに配置されてもよい。このような接着剤の取り付けの例は、米国特許第５，０１９，０６５号に開示されている。表面凸部分１０２は、米国特許第５，１０８，３８４号、第４，８６９，７２４号、第５，５７５，７８４号、第５，６２６，５７３号及び第５，２７９，６０４号、及び国際公開第ＷＯ９８／５３７８０号または第ＷＯ９９／１７６９３号に開示されている使い捨てテープ装置を具備する処分用衣類固定の他の多くのテープの意匠と共に使用してもよい。上述特許及び公開の各々を参考として本明細書に組み込む。
【００５９】
上述のように表面凸部分１０２は、第二級締着機能を提供してもよい。例えば図２４は、表面凸部分１０２を具備して使用中おむつ２０の重なり合う部分のずれを防ぐ第二級締着装置３９３を有するおむつ２０を示す。図２７に示す他の例では、ボディーラップ３９１は表面凸部分１０２及び、ボディーラップ３９１の一部分をそれ自体に固定してボディーラップ３９１の着用者への第一級の固定を提供するために、例えばフックアンドループファスナを具備してもよい第一級締着装置３９２を含有する第二級締着装置３９３を有する。いずれの場合も第二級締着装置は、例えば感圧接着剤、機械的ファスナなどのような他の要素を具備してもよい。
【００６０】
表面凸部分１０２はまた補足的締着機能を提供してもよい。補足的ファスナとして使用される時、表面凸部分１０２は、本明細書で説明したように、第一級締着装置３９２の締着強度を補足し、それにより第一級ファスナのみの使用で外れることへの抵抗性を増すために、図２７の一例に示されるようないずれの種類の第一級締着装置３９２と共に使用してもよい。好ましくはこれらの実施態様では表面凸部分１０２は、ファスナのはがれ及び／またはせん断強度を少なくとも約１０％増してもよく、或いははがれ及び／またはせん断強度を少なくとも約２５％、約５０％、約１００％以上増してもよい。
【００６１】
補足的締着機能を提供する際に、表面凸部分１０２は第一級締着装置の一部であってもよく、またはそれから離れていてもよい。例えば表面凸部分１０２は、第一級締着装置３９２の横方向に内向きに若しくは外向きに、第一級装置の横方向に上に若しくは下に、または第一級締着装置３９２と共に若しくはそれに挟みこんで配置してもよい。
【００６２】
凸部分１０２を第一級締着装置３９２と共に配置するための代表的な幾つかの方法は、国際公開第ＷＯ９５／２５９０５号及び第ＷＯ９８／１０７２８号に開示され、その各々を参照として本明細書に組み込む。更に表面凸部分１０２は、２機構装置のフック部分、ループ部分または両方の部分のいずれかについて、第ＷＯ９５／２５９０５号に記載される２機構機械的接着装置の接着部分に取って代わってもよく、それを参照として本明細書に組み込む。あるいは、表面凸部分１０２は第ＷＯ９８／１０７２８号に記載されるループの基部で接着要素に取って代わってもよく、これを参照として本明細書に組み込む。共に配置する装置の更に他の実施態様は、一つ以上の他の締着装置の間に表面凸部分１０２の一つ以上の領域を提供し、その例は図２８から図３２に示される。
【００６３】
補足的締着装置の更に好ましい実施態様では、表面凸部分１０２は（上述で引用した米国同時係属出願第０９／１４３，１８４号に開示されるような）ひも及びスロット締着装置の強度を補足するために、ひも及びスロット締着装置と共に使用してもよい。このような実施態様では表面凸部分１０２はひも部材、スロット部材またはその両方の上に配置されてもよく、補足的表面に係合してひも及びスロット装置の締着強度を増してもよい。
【００６４】
表面凸部分１０２は、衣類の一部分を衣類の他の部分と結合するために、凸部分受け領域と係合する。衣類は、図２４の一例に示すような少なくとも一つの凸部分受け領域３９５を包含してもよい。凸部分受け領域３９５は、表面凸部分１０２が衣類の少なくとも一つの部分を、衣類の少なくとも他の一つの部分に結合する位置を提供する。表面凸部分１０２と凸部分受け領域３９５の相対的位置は変化し得る。例えば、表面凸部分１０２は衣類の身体面表面に配置してもよく、凸部分受け領域３９５は衣類の外側表面に配置してもよい。あるいは、凸部分受け領域３９５は衣類の身体面表面に配置してもよく、及び／または表面凸部分１０２を衣類の外側表面に配置してもよい。更に、凸部分受け領域３９５及び表面凸部分１０２の両方を衣類の身体面表面に配置してもよく、及び／または両方を衣類の外側表面に配置してもよい。いずれの場合においても凸部分受け領域３９５はおむつに加えられる材料の別個の部分であってもよく、またはトップシート、バックシート、レッグカフまたはウエストバンドを包含するがこれらに限定されないおむつの一体化した、またはモノリシックな部分であってもよい。
【００６５】
凸部分受け領域３９５は図２４に示すように、本発明の表面凸部分１０２と係合するいずれかの好適なループまたはランディング材料を含有してもよい。一つの好ましい実施態様では、凸部分受け領域３９５は繊維性ループまたは材料のうちで少なくとも一つの不織布層を具備してもよい。例えば図４に関し、重なり合う関係で高分子層７２（図５参照）の外側に面する面に付与され、好ましくは閉じたループ３８の形状で複数のループを提供し得る不織布基材７０の拡大横断面が示される。ループ３８は、相互係合する個々の繊維７６により境界を示される空間を置いて開いた領域を画定する。図６は、高分子層７２の外側に面する面及び内側に面する面の両方に取り付けられる不織布基材７０を有する衣類材料の代替実施態様を示す。更に他の実施態様では、図２４に示すように凸部分受け領域３９５は、表面凸部分１０２Ｃの第二領域４０２と係合する表面凸部分１０２Ｂの第一領域４００を含有してもよい。このような実施態様では凸部分受け領域３９５における表面凸部分１０２Ｂの第一領域４００と表面凸部分１０２Ｃの第二領域４０２との係合は、はがれモードの離脱に最小限の抵抗性を提供してもよく、係合される衣類の部分の間の摩擦モードまたはせん断モードの離脱への抵抗性を増してもよい。例えば図２４に示すように、バックシート２６の少なくとも一部は凸部分受け領域３９５として働いてもよく、並びに表面凸部分１０２を包含し、バックシート２６を締着装置３６の一部として働かせてもよい。凸部分受け領域３９５の表面凸部分１０２は第二級締着装置３９３の表面凸部分１０２と係合してもよい。表面凸部分１０２がバックシート２６から一体形成される場合、受け領域３９５の表面凸部分１０２は一体式バックシートランディング領域の少なくとも一部を形成してもよい。表面凸部分１０２と共に使用してもよい他の一体式バックシートランディング領域は、１９９８年１２月８日及び１９９８年４月４日にクライン（Kline）らに付与された米国特許第５，８４６，３６５号及び第５，７３５，８４０号に開示されており、その各々を参照とし本明細書に組み込む。
【００６６】
本発明の代替実施態様では、表面凸部分１０２は衣類と着用者の皮膚の間により高い有効摩擦係数を提供し、故に使用中他の望ましくない方法で衣類が滑り落ちることへのまたは動くことへの少なくとも幾らかの追加の抵抗性を提供する。これらの実施態様では、表面凸部分１０２は衣類のいかなる身体接触面に配置してもよい。ある好ましい実施態様では、図１及び図２４に示すように表面凸部分は側面縁部、レッグカフまたはウエスト領域のような衣類の周辺部の近くに、特にウエスト領域の横方向の外側部分、並びに最も好ましくは後ろウエスト領域の横方向の外側部分に配置してもよい。この用途で使用のための表面凸部分のために特に好ましい位置は、アシュトン（Ashton）らの名前で１９９９年５月１７日に付与された「物品保持領域を有する使い捨て吸収性物品（Disposable Absorbent Article Having Article Retention Zones）」という発明名称の同時係属の米国特許出願第０９／３１２，９９７号における衣類保持領域のための位置として開示されている。上述の特定の特許出願は、よって参照として本明細書に組み入れる。本発明の代替実施態様では、表面凸部分１０２は股領域におけるトップシート上に配置されてもよい。これは物品が着用者の上のパッドを保持するための他の締着装置を持たなくてもよいパッドであるところでの女性用保護装置の実施態様に特に有用である。
【００６７】
本発明の特定の実施態様及び／または個別の機構を図解し説明してきたが、本発明の趣旨と範囲から逸脱することなく様々な変化と変形が可能であることは、当該技術分野における当業者にとり明白であると考える。さらに、このような実施態様及び機構の全ての組合せが可能であること、並びにこれにより本発明を好ましく実施できることも明らかである。従って、付随するクレームは、本発明の範囲内にある全てのこのような変化と変形を包括するように企図したものである。
【図面の簡単な説明】
【図１】  下にある要素を露呈するために一部を切り取った外側構造体の一部を有し、着用者の体に付与される前の平たい状態の物品を示す、使い捨て吸収性おむつの形状での本発明の衣類の実施態様の平面図である。
【図２】  体に配置されて着用者が着用するような、組み立てた状態での図１の使い捨て吸収性物品の斜視図である。
【図３Ａ】  美的に楽しませる衣類を提供するための表面凸部分領域形体の例を示す。
【図３Ｂ】  美的に楽しませる衣類を提供するための表面凸部分領域形体の例を示す。
【図３Ｃ】  美的に楽しませる衣類を提供するための表面凸部分領域形体の例を示す。
【図３Ｄ】  美的に楽しませる衣類を提供するための表面凸部分領域形体の例を示す。
【図３Ｅ】  美的に楽しませる衣類を提供するための表面凸部分領域形体の例を示す。
【図３Ｆ】  美的に楽しませる衣類を提供するための表面凸部分領域形体の例を示す。
【図３Ｇ】  美的に楽しませる衣類を提供するための表面凸部分領域形体の例を示す。
【図３Ｈ】  美的に楽しませる衣類を提供するための表面凸部分領域形体の例を示す。
【図３Ｉ】  美的に楽しませる衣類を提供するための表面凸部分領域形体の例を示す。
【図３Ｊ】  美的に楽しませる衣類を提供するための表面凸部分領域形体の例を示す。
【図３Ｋ】  美的に楽しませる衣類を提供するための表面凸部分領域形体の例を示す。
【図３Ｌ】  美的に楽しませる衣類を提供するための表面凸部分領域形体の例を示す。
【図３Ｍ】  美的に楽しませる衣類を提供するための表面凸部分領域形体の例を示す。
【図４】  不織布繊維性材料を包含する衣類材料の拡大断片的横断面図である。
【図５】  フィルム材料と面対面の関係で接合する不織布繊維性材料を包含する衣類材料を示す、図４のそれに類似する拡大断片的横断面図である。
【図６】  表面凸部分の様々な形体の横断面図であり、その横断面は衣類材料の表面に関係する表面凸部分の傾斜角度に平行に取られる。
【図７】  表面凸部分の様々な形体の横断面図であり、その横断面は衣類材料の表面に関係する表面凸部分の傾斜角度に平行に取られる。
【図８】  表面凸部分の様々な形体の横断面図であり、その横断面は衣類材料の表面に関係する表面凸部分の傾斜角度に平行に取られる。
【図９】  表面凸部分の様々な形体の横断面図であり、その横断面は衣類材料の表面に関係する表面凸部分の傾斜角度に平行に取られる。
【図１０】  表面凸部分の様々な形体の横断面図であり、その横断面は衣類材料の表面に関係する表面凸部分の傾斜角度に平行に取られる。
【図１１】  表面凸部分の様々な形体の横断面図であり、その横断面は衣類材料の表面に関係する表面凸部分の傾斜角度に平行に取られる。
【図１２】  表面凸部分の様々な形体の横断面図であり、その横断面は衣類材料の表面に関係する表面凸部分の傾斜角度に平行に取られる。
【図１３】  図９に示す個々の表面凸部分の斜視図である。
【図１４】  図８に示す個々の表面凸部分の斜視図である。
【図１５】  図１２に示す個々の表面凸部分の斜視図である。
【図１６】  各領域が二つの外方に延びる表面凸部分を具備する複数の領域を含有する衣類材料表面の、拡大断片的斜視図である。
【図１７】  各領域が三つの外方に延びた多方向を向く表面凸部分を具備する複数の領域を含有する衣類材料表面の、拡大断片的斜視図である。
【図１８】  本発明の表面を一体形成するための成形型の一実施態様の上平面図である。
【図１９】  図１７に示す領域を一体形成するための成形型の他の実施態様の上平面図である。
【図２０】  図１９に示す成形型の横断面図である。
【図２１】  図１９に示す成形型の底平面図である。
【図２２】  図１９に示す成形型の上面の一部の、拡大断片図である。
【図２３】  図２２の線２３−２３に沿って取られた、拡大断片的横断面図である。
【図２４】  使い捨ておむつの代替実施態様の斜視図である。
【図２５】  本発明の衛生ナプキンの実施態様の上平面図である。
【図２６】  着用者の下着の周りを包むような本発明の衛生ナプキンの実施態様の斜視図である。
【図２７】  本発明のボディーラップの実施態様の上平面図である。
【図２８】  他の締着装置と組み合わせる、本発明の表面の様々な実施態様の上平面図である。
【図２９】  他の締着装置と組み合わせる、本発明の表面の様々な実施態様の上平面図である。
【図３０】  他の締着装置と組み合わせる、本発明の表面の様々な実施態様の上平面図である。
【図３１】  他の締着装置と組み合わせる、本発明の表面の様々な実施態様の上平面図である。
【図３２】  他の締着装置と組み合わせる、本発明の表面の様々な実施態様の上平面図である。
【図１】
0004902084.tif 000002
【図２】
0004902084.tif 000003
【図３Ａ】
0004902084.tif 000004
【図３Ｂ】
0004902084.tif 000005
【図３Ｃ】
0004902084.tif 000006
【図３Ｄ】
0004902084.tif 000007
【図３Ｅ】
0004902084.tif 000008
【図３Ｆ】
0004902084.tif 000009
【図３Ｇ】
0004902084.tif 000010
【図３Ｈ】
0004902084.tif 000011
【図３Ｉ】
0004902084.tif 000012
【図３Ｊ】
0004902084.tif 000013
【図３Ｋ】
0004902084.tif 000014
【図３Ｌ】
0004902084.tif 000015
【図３Ｍ】
0004902084.tif 000016
【図４】
0004902084.tif 000017
【図５】
0004902084.tif 000018
【図６】
0004902084.tif 000019
【図７】
0004902084.tif 000020
【図８】
0004902084.tif 000021
【図９】
0004902084.tif 000022
【図１０】
0004902084.tif 000023
【図１１】
0004902084.tif 000024
【図１２】
0004902084.tif 000025
【図１３】
0004902084.tif 000026
【図１４】
0004902084.tif 000027
【図１５】
0004902084.tif 000028
【図１６】
0004902084.tif 000029
【図１７】
0004902084.tif 000030
【図１８】
0004902084.tif 000031
【図１９】
0004902084.tif 000032
【図２０】
0004902084.tif 000033
【図２１】
0004902084.tif 000034
【図２２】
0004902084.tif 000035
【図２３】
0004902084.tif 000036
【図２４】
0004902084.tif 000037
【図２５】
0004902084.tif 000038
【図２６】
0004902084.tif 000039
【図２７】
0004902084.tif 000040
【図２８】
0004902084.tif 000041
【図２９】
0004902084.tif 000042
【図３０】
0004902084.tif 000043
【図３１】
0004902084.tif 000044
【図３２】
0004902084.tif 000045